(57)【特許請求の範囲】
【請求項１】
通気層（２ｈ）を備えたセメント板層（２）と、セメント板層（２）の上端及び下端に取付けた鋼材から成る上下枠（４ａ，４ｂ）と、上下枠（４ａ，４ｂ）間でセメント板層（２）に層着した成形断熱層（３）とを含む断熱複合パネルであって、上枠（４ａ）及び下枠（４ｂ）とセメント板層（２）とをボルト（７ａ）によってルーズホール形態で締着し、断熱層（３）は上下枠のうち、少なくとも、上枠（４ａ）内面に耐火被覆材（６）を被覆して成形断熱板をセメント板層（２）に層着一体化した鉄筋コンクリート造建築の帳壁用断熱複合パネル。
【請求項２】
通気層（２ｈ）が上下貫通孔であり、上下枠（４ａ，４ｂ）がアングル鋼材である請求項１の帳壁用断熱複合パネル。
【請求項３】
ルーズホール形態の締着は、セメント板層（２）の内側板厚部（Ｐｔ）に穿設したボルト挿入孔（Ｈ４）、及び対応する枠（４ａ，４ｂ）の水平辺（４Ｈ）のボルト挿入孔（Ｈ３）より小径のボルト（７ａ）を、枠の水平辺（４Ｈ）側から貫通孔（２ｈ）内の平ナット（７ｂ）に締着した請求項１又は２の帳壁用断熱複合パネル。
【請求項４】
枠（４ａ，４ｂ）の水平辺（４Ｈ）のボルト挿入孔（Ｈ３）がセメント板層（２）のボルト挿入孔（Ｈ４）と同径であってパネル上下方向の長孔である、請求項３の帳壁用断熱複合パネル。
【請求項５】
セメント板層（２）が一側端には凹部（２１）を、他側端には突起（２２）を具備した請求項１乃至４のいずれか１項の帳壁用断熱複合パネル。
【請求項６】
セメント板層（２）は、一側端には凹部（２１）を、他側端には突起（２２）を具備したセメント板（２Ｐ）の複数枚を、各凹部（２１）と突起（２２）との不燃パッキング（２３）を介在した衝合並列接続で形成した請求項１乃至５のいずれか１項の帳壁用断熱複合パネル。
【請求項７】
耐火被覆材（６）が断熱材層（３）と同厚であり、且つ上下枠厚（４Ｔ）より大である請求項１乃至６のいずれか１項の帳壁用断熱複合パネル。
【請求項８】
セメント板層（２）と断熱層（３）とを、柔軟性を有する弾力性接着剤（Ａｄ）によって層着した請求項１乃至７のいずれか１項の帳壁用断熱複合パネル。
【請求項９】
断熱層（３）が条片下地材（５）を埋設露出している請求項１乃至８のいずれか１項の帳壁用断熱複合パネル。
【請求項１０】
上枠（４ａ）の立上り辺（４Ｆ）が取付孔（Ｈ１）、及び両端部のアイボルト締着用孔（Ｈ２）を備え、下枠（４ｂ）の立上り辺（４Ｆ）が、上枠（４ａ）の取付孔（Ｈ１）の対応位置に取付孔（Ｈ１）を備えた請求項１乃至９のいずれか１項の帳壁用断熱複合パネル。
【発明の詳細な説明】
【０００１】
【発明の属する技術分野】
本発明は、鉄筋コンクリート造の壁式構造や、ラーメン構造の建築物の帳壁に好適に使用出来る外壁用の断熱複合パネルに関するものであり、鉄筋コンクリート造建築の技術分野に属するものである。
【０００２】
【従来の技術】
鉄筋コンクリート造建築物にあっては、外断熱工法として、断熱複合パネルをコンクリート壁などの躯体に型枠併用として配置し、コンクリート壁などと一体化して外壁を形成しており、断熱複合パネルを帳壁として単体で採用することはなかった。
また、鉄骨造建築物にあっては、従来よりパネルを鉄骨造躯体に帳壁として取付ける工法が採用されており、本出願人等が特願平９−１５２６２８号として提案し、特許第２９９９９８０号として特許登録されている断熱複合パネルがある。
【０００３】
図７は、特許第２９９９９８０号のパネルであって、該パネルは、上枠、下枠及び両側枠から成る枠体の外面に、貫通孔を有する成形セメント板の３枚を並列接続した形態でＺクリップを介して止着し、枠体の内面には内装板（石膏ボード）を配置し、硬質ウレタンフォームの枠体内への注入充填発泡によって、セメント板、枠体、及び内装板を、硬質ウレタンフォーム断熱層によって一体化したものであり、鉄骨造建築物の帳壁パネルとして採用すれば、セメント板に対する断熱層の現場での吹付け作業も、内装面材の取付け作業も不要となり、建築工期の大幅な短縮化を可能とする、極めて有用な複合パネルである。
【０００４】
【発明が解決しようとする課題】
しかし、従来の断熱複合パネル（図７）にあっては、鉄骨造躯体へ帳壁として取付ける際に、クレーン等で吊上げて配置するが、吊上げ時のパネル変形防止のため、また、製作時の硬質ウレタンフォームの注入発泡時の堰止めのために側枠は必要不可欠であるが、側枠部が熱橋（ヒートブリッジ）となって断熱機能を低下するため、側枠に対する煩雑な熱橋阻止手段（図７の緩衝体付設）を施す必要があった。
【０００５】
更に、ウレタンフォームのパネル枠体内への注入発泡に際しても、ポリマーと発泡剤との２液混合の管理面、広いパネル面積への均斉注入面等から、均斉な気泡を有する均斉な断熱層の形成は煩雑、且つ熟練を要する作業であった。
また、一体化された内装面材（石膏ボード）は、施工取扱中に欠損や汚染の損傷を受ける危険があり、特に、鉄筋コンクリート造建築物に採用すれば、コンクリート打設前の散水、又は石膏ボードの床スラブなどのコンクリートとの当接、等による吸水によって石膏ボード（内装面材）にカビが発生し、美観上の問題及びアトピー等の健康問題や、保管衣服の損傷の問題等があった。
【０００６】
従って、本出願人が、先に開発に成功し、特願２００１−０２５１４２号として提案した、断熱複合パネルを単体で帳壁とする鉄筋コンクリート造建築物に、該断熱パネル（図７）を適用すれば、石膏ボード（内装面材）が床スラブに当接するため、コンクリートの配合水を吸水してカビを発生させる問題がある。
更に、断熱層の発泡凝固時の自己接着力によって、セメント板の枠体への係止部のＺクリップが固定され、枠体、セメント板、及び内装面材相互も固定されて複合パネル内での層間変位の吸収作用が生じないため、地震時には、石膏ボード（内装面材）、特に石膏ボードの衝合部に亀裂の発生する問題がある。
【０００７】
本発明は、特許第２９９９９８０号の断熱複合パネル（図７）の、上述の如き、種々の問題点を解決、又は改善し、鉄筋コンクリート造建築物の帳壁外壁パネルとして有効に採用出来る、しかも、はるかに低コストで提供可能な、新規、且つ実用性の極めて高い断熱複合パネルの提供を可能とするものである。
【０００８】
【課題を解決するための手段、及び作用】
本発明の帳壁用断熱複合パネル１は、例えば図１に示す如く、通気層２ｈを備えたセメント板層２と、セメント板層２の上端及び下端に取付けた鋼材から成る上下枠４ａ，４ｂと、上下枠４ａ，４ｂ間でセメント板層２に層着した成形断熱層３とを含む断熱複合パネルであって、上枠４ａ及び下枠４ｂとセメント板層２とをボルト７ａによってルーズホール形態で締着し、断熱層３は上下枠のうち、少なくとも、上枠４ａ内面に耐火被覆材６を被覆して成形断熱板をセメント板層２に層着一体化したものである（請求項１）。
【０００９】
尚、セメント板層２の「通気層」は図１の如き貫通孔形態のみならず、セメント板の内側表面に凹条溝を並列縦設しても良い。
また、上枠４ａ、及び下枠４ｂは、セメント板層２を止着し、且つパネルの上端及び下端を規定してパネルの建物躯体への取付機能を備えたものであれば良いが、断面アングル形態のアングル鋼材であれば、水平辺４Ｈでセメント板層を止着し、立上り辺４Ｆでパネル端縁規定兼パネル取付機能が兼備出来、充分な機械的強度を発揮出来るので好ましく、等辺山形鋼が好ましい。
【００１０】
また、成形断熱層３としては、耐水性、及びコンクリート付着性を有する合成樹脂発泡成形板が好ましく、典型的には硬質ウレタンフォーム板である。
また、セメント板層２と枠４ａ，４ｂとのボルト７ａによる「ルーズホール形態の締着」は、セメント板層２と上枠４ａ又は下枠４ｂとの間に大きな層間変位応力が作用した際に、セメント板層と枠とにすべりを発生させるために、図２（Ａ）の如く、ボルト７ａの径ｄ７に対して、セメント板の孔Ｈ４の径ｄ４及び上下枠４ａ，４ｂの孔Ｈ３の径ｄ３を共に大径でルーズ孔とすることも、ボルト７ａに対して上下枠孔Ｈ３のみをルーズ孔としても、或いはセメント板孔Ｈ４のみをルーズ孔としても良い。
また、耐火被覆材６は、パネル１を張設した建物の内面の火災に対処するものであるから、火災対策上は上枠４ａのみに付与すれば充分であるが、耐火被覆材６で被覆したボルト７ａはルーズホール挙動の規制が少ないため、下枠４ｂも耐火被覆材６で被覆保護するのが有利である。
【００１１】
また、耐火被覆材６は、ロックウール、グラスウール等の柔軟性のある繊維系のマット材が好都合であり、典型的には、耐火、耐水、断熱、吸音、遮音機能に優れ、鋏やナイフで簡単に切断出来るカオウール（イソライト工業（株）商品名）の使用が好都合である。
そして、耐火被覆材６は、アングル鋼材枠４ａ，４ｂ及びセメント板層２に接着剤で止着すれば良い。
【００１２】
そして、本発明の断熱複合パネルにあっては、鉄筋コンクリート造建築の帳壁パネルとして用いるため、層間変形角（耐震設計基準：１／２０００以下）が小であるため、セメント板層２と枠４ａ，４ｂとのルーズホール形態締着により必要耐震力が発揮出来、断熱層３として成形断熱材を用いることと相俟って、枠も鋼材から成る上枠４ａと下枠４ｂとの使用のみと出来る。
しかも、耐火被覆材６がルーズホール形態締着の層間変位対応作用も保証すると共に、パネル内面への耐火性も付与する。
【００１３】
従って、従来の如き、強固、且つ重い枠体が不要となり、断熱層の枠体内での充填発泡管理も不要となるため、均斉な断熱層を備え、且つ、耐震性、耐火性をも具備し、鉄筋コンクリート造建築の帳壁パネルとして充分な必要機能を具備する断熱複合パネル１が、大幅なコストダウンにより提供可能となる。
また、本発明断熱複合パネル１は、本出願人が先に開発に成功した鉄筋コンクリート造壁式構造建築物（特願２００１−０２５１４２号）に帳壁パネルとして採用することにより、非耐力壁部の外壁型枠工の省略とパネルの低コスト化とが相俟って、鉄筋コンクリート造外断熱建築物が画期的な建築費低減の下に提供可能となる。
【００１４】
また、該帳壁用断熱複合パネル１にあっては、通気層が上下貫通孔２ｈであり、上下枠４ａ，４ｂがアングル鋼材であるのが好ましい。
この場合、セメント板層２と上下枠４ａ，４ｂとのルーズホール形態締着は、図２（Ａ）に示す如く、貫通孔２ｈの内側に平ナット７ｂを入れて上枠（下枠）の水平辺４Ｈ側からボルト７ａで締着すれば良く、パネル外面に露出しない形態で作業性良く実施出来る。
また、上枠４ａ，下枠４ｂも入手容易な等辺山形鋼が採用出来る。しかも、通気層が上下貫通孔２ｈであるため、パネル１を空気の上下導通可能に上下に連結するのも容易である。
【００１５】
また、セメント板層２と上下枠４ａ，４ｂとのルーズホール形態の締着は、図２（Ａ）に示す如く、セメント板層２の内側板厚部Ｐｔに穿設したボルト挿入孔Ｈ４、及び対応する枠４ａ，４ｂの水平辺４Ｈのボルト挿入孔Ｈ３より小径のボルト７ａを、枠の水平辺４Ｈ側から貫通孔２ｈ内の平ナット７ｈに締着するのが好ましい。
この場合、セメント板層２と枠４ａ，４ｂの両方がルーズホールであるため、若干の上下左右の寸法調整も可能であって取付作業が容易であり、しかも、層間変位対応可能なルーズホール締着が得られる。
【００１６】
また、ルーズホールとしては、図２（Ｃ）の如く、枠４ａ，４ｂの水平辺４Ｈのボルト挿入孔Ｈ３がセメント板層２のボルト挿入孔Ｈ４と同径であってパネル上下方向の長孔であるのが好ましい。
建物躯体に固定された上下枠４ａ，４ｂとセメント板層２との層間変位は、セメント板層２が躯体に対して回動して変位を吸収するが、その変位はボルト７ａのルーズホールＨ３内の上下動生起となるため，上下枠４ａ，４ｂのボルト挿入孔Ｈ３がルーズホール径であって、しかも上下方向の長孔であれば、耐震設計値以上の不慮の層間変位にも対処可能となる。
【００１７】
また、本発明パネル１にあっては、セメント板層２が一側端には凹部２１を、他側端には突起２２を具備しているのが好ましい。
この場合、図３（Ｃ）の如く、帳壁形成時のパネル１相互の左右連結は、凹部２１と突起２２との不燃パッキング２３を介在した嵌合でスムーズに実施出来、セメント板層２相互を隙間なく、且つ平滑に接続出来るため、作業性及び耐火性が向上する。
【００１８】
また、本発明パネル１にあっては、セメント板層２が、一側端には凹部２１を、他側端には突起２２を具備したセメント板２Ｐの複数枚を、各凹部２１と突起２２との不燃パッキング２３を介在した衝合並列接続であるのが好ましい。
尚、不燃パッキング２３は両面接着タイプが好ましく、例えば、ＳＣブランケット（新日鉄化学（株）商品名）の採用が可能である。
【００１９】
外壁材としてのセメント板は、押出成形体をローラー上を移動させてオートクレーブ室で養生させるが、衝撃によるひび割れや、養生の際の反りの発生等、製造面からは幅が狭い方が有利であり、従って、コスト面、品質面で有利な幅狭のセメント板２Ｐを入手して複数枚を必要パネル幅１Ｗに接続するのが有利である。
しかも、凹部２１と突起２２との不燃パッキング２３を介在した衝合接続であるため、図３（Ｂ）の如く、連結部（目地）２Ｇも隙間のない接続と出来、接続一体化作業もスムーズに実施出来て、あたかも１枚のセメント板の如き耐火性を具備したものとなる。
【００２０】
また、本発明パネル１は、耐火被覆材６が断熱材層３と同厚であり、且つ上下枠厚４Ｔより大であるのが好ましい。
本発明パネルにあっては、枠体が軽量化出来、パネル重量も軽減出来るため、上枠４ａ、下枠４ｂの枠厚４Ｔが小と出来、充分な強度保有の下に断熱層厚３Ｔより枠厚４Ｔが小と出来る。
従って、上下枠４ａ，４ｂの建物躯体への直接接触が回避出来て、上下枠４ａ，４ｂからの熱橋作用は阻止出来る。
【００２１】
また、セメント板層２と断熱層３とを、柔軟性を有する弾力性接着剤Ａｄによって層着するのが好ましい。
弾力性接着剤は慣用のもので良く、例えば、エポキシ樹脂系のボンドエフレックス（コニン（株）商品名）の採用が可能である。
セメント板層２と断熱層３とを弾力性接着剤で層着した場合は、鉄筋コンクリート造建築物の微少な基準層間変形角（耐震設計基準：１／２０００）内で生起するセメント板層２と断熱層３との微少な層間変位（セメント板面と断熱層面との界面すべり）にも対応可能となり、断熱層３表面に仕上げ張設する石膏ボード等の内装面板相互の衝合角部での欠損やクラック発生が最小限に抑制出来る。
【００２２】
また、帳壁用断熱複合パネル１は、断熱層３が条片下地材５を埋設露出しているのが好ましい。
尚、「埋設露出」の意味は、条片下地材５が完全埋設して表面のみが露見している状態も、表面が突出形態で露出している状態も含む意である。
そして、条片下地材５の表面５ｆが、図５の如く断熱層表面３ｆと面一の場合は、下地材５に内装面板（図示せず）を取付ける際の、断熱層３表面へのポリエチレンフィルム等の防湿シート（図示せず）の介在被覆が容易となる。
また、条片下地材５の表面５ｆを断熱層表面３ｆより突出させて、内装面版を取付ける場合は、内装面板と断熱層３間に空隙層が出来て、内装面材と断熱層との音の共振が阻止出来、遮音性が向上する。
【００２３】
そして、図５の如く、本発明断熱複合パネル１を、特願２００１−０２５１４２号発明の実施に従って鉄筋コンクリート造建築物の帳壁として採用すると、固化したコンクリート床スラブＳに埋設固定した取付金物Ｍにパネル下端を係止し、パネル１の上端は上階床スラブ型枠内に組付けた取付金物Ｍに係止した状態で床スラブ型枠内にコンクリート打設することとなるが、床スラブコンクリートと当接一体化する耐火被覆材６及び断熱層３の耐水性及びコンクリート付着性により、パネル１上端が取付金物Ｍと共に床スラブＳ前端に強固に一体化出来る。
また、セメント混合水等により汚染される断熱層表面３ｆを洗浄しても断熱層３の吸湿がなく断熱層表面３ｆでのカビの発生もない。
そのため、石膏ボード等の内装面板の張設は、条片下地材５への打付けで遂行出来て作業が容易であると共に、内装面板へのパネル１側、即ち、断熱層３側、からのカビの伝播発生もなく、きれいな内装の提供が可能となる。
【００２４】
また、本発明パネル１の上下枠は、上枠４ａの立上り辺４Ｆが取付孔Ｈ１、及び両端部のアイボルト締着用孔Ｈ２を備え、下枠４ｂの立上り辺４Ｆが、上枠４ａの取付孔Ｈ１の対応位置に取付孔Ｈ１を備えているのが好ましい。
アイボルト締着孔Ｈ２を上枠４ａ両端部に穿設しておけば、パネル１の吊上げ用のアイボルト（図示せず）装着により、パネル１の建付け作業が容易となる。
また、上枠４ａ及び下枠４Ｂの各取付孔Ｈ１は、図５の如く、上下枠４ａ，４ｂを取付金物Ｍの取付ピンＭｐに係止するものであるので、取付ピンＭｐを取付金物Ｍの支持板Ｍｓに螺入固定し、上下枠の取付孔Ｈ１を取付ピンＭｐ挿入用のピン孔としても良く、或いは、図５（Ｂ）の如く、上枠４ａの取付孔Ｈ１をネジ孔として取付ピンＭｐを螺入固定し、支持板Ｍｓの孔及び下枠４ｂの取付孔Ｈ１をピン孔としても良い。
従って、本発明パネル１は、鉄筋コンクリート造建築物への帳壁パネルとしての建付けが容易となる。
【００２５】
【発明の実施の形態】
〔セメント板層２（図３）〕
図３（Ａ）に示す如く、セメント板層２は、３枚の成形セメント板２Ｐの並列接続で構成する。
各成形セメント板２Ｐは、幅２Ｗが５９０ｍｍで長さＬ１が２８８０ｍｍ、厚さ２Ｔが６０ｍｍであり、１側端には突起２２を、他側端には凹部２１を備え、長さ方向の貫通孔２ｈを備えている。
これら成形セメント板２Ｐの並列接続は、各凹部２１の底に、図３（Ｂ）の如く、両面接着性不燃パッキング２３として厚さ１２．５ｍｍのＳＣブランケット（新日鉄化学（株）商品名）を充填して各突起２２を不燃パッキング２３に当接すると共に、セメント板２Ｐの内側の板厚部Ｐｔ端縁間にも両面接着性を有する断熱材２５を充填して接続する。
尚、各成形セメント板２Ｐの連結部（目地）２Ｇ（標準：１０ｍｍ）表面は、パネル張設後の目地仕上げ時に、図３（Ｂ）の如く、バッカ−２４´を介してシーリング２４を施す。
【００２６】
〔枠（図１、図４）〕
辺幅４Ｔが６５ｍｍで厚さ６ｍｍの等辺山形鋼（アングル鋼）の上枠４ａと下枠４ｂを枠体とするものであり、上枠４ａの立上り辺４Ｆには、図４の如く、パネル幅１Ｗの中央より左右対称の２ヶ所に、２個１対の取付孔Ｈ１（ネジ孔）を間隔ＨＬ（標準：１２０ｍｍ）開けて穿設し、両端部にアイボルト（図示せず）締着孔Ｈ２を設け、下枠４ｂには上枠４ａの取付孔Ｈ１の対応位置に取付孔Ｈ１（ピン孔）を設ける。
また、上枠４ａ及び下枠４ｂの水平辺４Ｈには、図２（Ａ）の如く、径ｄ７が１０ｍｍのボルト７ａを挿通するための径ｄ３が１２ｍｍのボルト挿入孔Ｈ３を、各成形セメント板２Ｐの両端の貫通孔２ｈと符号するように穿設する。
【００２７】
〔断熱複合パネル１の製作〕
成形用プレス台（図示せず）に成形セメント板２Ｐを３枚並列接続したセメント板層２を載置し、各セメント板２Ｐの上部及び下部の両端の貫通孔２ｈの内側の板厚部Ｐｔには、図２の如く、径ｄ４が１２ｍｍのボルト挿入孔Ｈ４を穿孔し、該挿入孔Ｈ４に上下枠４ａ，４ｂの水平辺４Ｈのボルト挿入孔Ｈ３を符号して上枠４ａ及び下枠４ｂをセメント板層２上に載置する。
そして、貫通孔２ｈの内部から平ナット７ｂを当接し、径ｄ７が１０ｍｍのボルト７ａを水平辺４Ｈ側から座金７ｃを介して挿入し、平ナット７ｂに締着し、図４の如く、上下枠４ａ，４ｂをセメント板層２に、各セメント板２Ｐの上部両端を上枠４ａに、下部両端を下枠４ｂにボルト７ａで固定する。
【００２８】
次いで、上枠４ａ及び下枠４ｂの立上り辺４Ｆより耐火被覆材６の挿入幅（標準：９０ｍｍ）の空間を残したセメント板層上に、幅６０ｍｍ、厚さ２０ｍｍの合成樹脂製下地材５を面一に埋設保持した厚さ７５ｍｍの硬質ウレタンフォーム板を所要寸法に加工し、柔軟性のある弾力性エポキシ樹脂系接着剤、ボンドエフレックス（コニン（株）商品名）を用いて下地材５を外側にして層着し、断熱層３をセメント板層２と一体化する。
【００２９】
また、図２及び図５の如く、セメント板層２内表面の断熱層３と上下各枠４ａ，４ｂとの空間には、耐火、耐水、断熱、吸音、遮音機能を備えたカオウール（商品名）を耐火被覆材６として接着剤を用いて充填一体化する。
尚、上下枠４ａ，４ｂの立上り辺４Ｆの先端縁４ｅは、図２の如く、耐火被覆材６内であるため、即ち、パネル１の内表面の上下端は耐火被覆材６の表面となるため、耐火被覆材６のパネル上端及び下端縁には、必要に応じて合成樹脂液の塗布、プラスチックフィルム貼着等の保形手段を施す。
【００３０】
〔断熱複合パネル１の使用（図５、図６）〕
上述の実施形態で得られる断熱複合パネル１は、本出願人が特願２００１−０２５１４２号として先に提案した、断熱複合パネルを単体で帳壁とする新規な鉄筋コンクリート造外断熱建築物に適用すれば極めて有効なものである。
即ち、図５に示す如く、コンクリート床スラブＳの前端にアンカー部Ｍａを介して固定した取付金物Ｍの支持板Ｍｓに止着した取付ピンＭｐに、断熱複合パネル１の下枠４ｂを取付孔Ｈ１（ピン孔）を介して挿通係止し、パネル下面Ｆｂが床スラブ表面Ｓｆより下方で、雨水のパネル下端面Ｆｂから床スラブ表面Ｓｆへの侵入を阻止するように取付ける。
【００３１】
また、パネル上部にあっては、パネル上枠４ａの取付孔Ｈ１（ネジ孔）に取付ピンＭｐを螺入すると共に、取付ピンＭｐに支持板Ｍｓを嵌合した状態で、取付金物Ｍのアンカー部Ｍａを型枠内配筋と結合して上階床スラブ型枠内に固定し、床スラブ型枠内へのコンクリート打設によってパネル上端部の耐火被覆材６及び断熱層３を固化コンクリートと当接一体化し、且つ、上枠４ａは床スラブに埋設一体化した取付金物Ｍに取付ピンＭｐを介して取付けた状態で床スラブＳの前端に固定し、帳壁外壁を形成する。
そして、パネル１の帳壁形成後に、パネル内表面、即ち断熱層表面３ｆ、を洗浄清掃し、石膏ボード等の所定の内装面板（図示せず）を防湿シートを介在して条片下地材５に張設する。
【００３２】
この場合、条片下地材５は断熱層表面３ｆと面一に埋設されているため、下方床スラブ表面に不陸があっても、また、上方床スラブ型枠の組立て時にも、下地材５の干渉はなく、パネル１の下端及び上端の取付作業が容易に実施出来る。
そして、上階床スラブ型枠内へのコンクリート打設に際しても、耐火被覆材６及び断熱層３がコンクリート付着性大で吸水性小であるため、パネル１の上部内表面は床スラブＳ前端と隙間なく、且つ強固に一体化する。
【００３３】
また、コンクリート打設によって断熱層表面３ｆにコンクリート配合水が流出付着しても、床スラブ型枠解体後の断熱層表面３ｆでのカビの発生はない。
また、内装工事に際しては、断熱層表面３ｆが目視出来るので、例え水分が付着しても、条片下地材５が面一で埋設しているため拭取りが容易であり、断熱層３及び耐火被覆材６はカビを発生しないため、石膏ボード等の内装面板を下地材５を介して張設しても、パネル１面から内装面板へのカビの伝播汚染は生じない。
【００３４】
尚、パネル１相互の左右連結部２Ｇも、図３（Ｃ）の如く、パネル１内のセメント板２Ｐ相互の接続目地同様に、パネル端縁の凹部２１と突起２２との不燃パッキング２３を介した衝合連結とし、断熱層３間の隙間には注入断熱材２６を付与して断熱層３の連続性を保つ。
また、パネル相互の左右連結部２Ｇの表面は、パネル１内のセメント板２Ｐ相互の目地２Ｇと共に、パネル張設後の外装仕上げで図３の如く、バッカ−２４´を介した耐火シーリング２４によって目地仕上げする。
また、パネル１相互の上下連結部２Ｇ´も、図６（Ｂ）の如く、セメント板２Ｐの内側板厚部Ｐｔでは、耐火シート２３´を介在してシーリング２４で閉じ、表側板厚部Ｐｔでは、外装仕上げでバッカー２４´を介した耐火シーリング２４によって、貫通孔２ｈの空気導通ａを保証して目地仕上げする。
【００３５】
従って、本発明断熱複合パネル１で形成した帳壁外壁は、耐火面では、建物外部の火災に対しては、セメント板層２及び連結部（目地）の不燃パッキング２３及び耐火シート２３´が対処し、室内側からの火災に対しては、耐火被覆材６が対処する耐火性を具備し、また耐震面では、セメント板２Ｐと上下枠４ａ，４ｂとのルーズホール形態のボルト締着、及びセメント板層２と断熱層３との弾力性接着剤による層着によって、地震や強風時の建物揺れで生ずるセメント板層２と断熱層３との層間変位を吸収し、セメント板層２や断熱層上の仕上げ内装面材（石膏ボード）の亀裂や欠損が抑制出来るものとなり、しかも、カビ汚染の恐れのない内装面材仕上げが可能となる。
【００３６】
また、パネル枠体を上枠４ａと下枠４ｂのみとしたこと、及び断熱層３を成形断熱板としたことによる断熱複合パネル１のコストを大幅に低減したことと、鉄筋コンクリート造建築物に於いて非耐力壁部を断熱複合パネル１のみの帳壁構造として外壁形成時の非耐力壁部のコンクリート型枠組み工を不要としたことと相俟って、耐震耐火性鉄筋コンクリート造外断熱建築物が大幅な建築費低減により提供出来る。
【００３７】
〔その他〕
条片下地材５は、実施態様例（図１）ではパネルに対する横方向配列であるが、縦方向配列としても良い。
尚、縦方向配列で下地材表面５ｆを断熱層表面３ｆから突出させる場合は、下地材５上端は床スラブ型枠組み作業に干渉しない高さ、即ち、床スラブＳの下面より下方とし、下地材５下端は床スラブ表面Ｓｆより上部として床スラブ表面の不陸に対処可能とするのが良い。
また、断熱層３としては、硬質ウレタンフォームの表面を防湿シートでラミネートした断熱板等、成形断熱板に予め防湿処理を付与したものを採用すれば、パネルの内部結露防止がより確実となる。
【００３８】
また、耐震設計基準での層間変形角は、鉄筋コンクリート造壁式構造では１／２０００以下、鉄骨造、鉄筋コンクリートのラーメン構造では１／２００以下であり、本発明パネルは標準長２８８０ｍｍの鉄筋コンクリート造用であるため、セメント板２Ｐと上下枠４ａ，４ｂとのルーズホール締着は、セメント板２ＰのルーズホールＨ４及び上下枠のルーズホールＨ３が１２ｍｍ径であり、締着ボルト７ａが１０ｍｍ径であれば耐震設計基準内での層間変位吸収の機能を充分達成するが、ルーズホールＨ３，Ｈ４の形状及びサイズは、より大きな層間変位吸収、又は締着位置調整の面から適宜に決定すれば良い。
また、実施態様例では、セメント板層２と断熱層３との接着剤として柔軟な弾力性エポキシ樹脂系接着剤を適用したが、断熱層３としての合成樹脂成形板を浸蝕しない通常の接着剤を用いても、パネル１は、枠４ａ，４ｂとセメント板層２とのルーズホール締着により、耐震設計基準の層間変形角（１／２０００）内での層間変位吸収目的は達成出来る。
【００３９】
【発明の効果】
本発明断熱複合パネル１は、従来の如き、強固、且つ重い枠体が不要となり、断熱層の枠体内での充填発泡管理も不要となるため、軽量化出来ると共に、均斉な断熱機能を奏する成形断熱板の接着形成により安価に製造出来る。
しかも、セメント板層が枠４ａ，４ｂとルーズホール形態で締着して層間変位対応可能としたための耐震性と、耐火被覆材６での上枠４ａ内面被覆による室内側からの火災対応、及びセメント板層２による外部からの火災対応が可能であるための耐火性とを備えた、鉄筋コンクリート造建築の帳壁パネルとして充分な必要機能を具備したパネルとなる。
【００４０】
また、成形断熱板を、柔軟性を有する弾力性接着材Ａｄによってセメント板層２に層着するため、断熱層３とセメント板層２との層間変位にも対処可能となり、地震時には、外装材としてのセメント板層２の亀裂、欠損の抑制のみならず、断熱層上に張設した内装面材の欠損も最小限に抑制出来る。
また、断熱層３が条片下地材５を埋設露出しているため、内装面材はパネルでの外壁形成後に容易に張設出来、しかも耐火被覆材６及び断熱層３が耐水性であるため、内装面材にはカビ汚染が発生しない。
また、上下枠４ａ，４ｂの立上り辺４Ｆの先端縁４ｅが耐火被覆材６より内側に位置しているため、上下枠４ａ，４ｂの建物躯体との当接がなく、熱橋（ヒートブリッジ）が発生しないことと、従来パネルの如き側枠からの熱橋作用のないことと相俟って、本発明パネルは、熱橋作用防止面でも極めて有効な外断熱外壁を提供する。
【図面の簡単な説明】
【図１】本発明パネルの一部切欠斜視図である。
【図２】本発明パネルの説明図であって、（Ａ）は図１のＡ−Ａ線断面図、（Ｂ）は図１のＢ−Ｂ線断面図、（Ｃ）は上枠のボルト挿入孔Ｈ３の変形例図、（Ｄ）は上枠とセメント板２Ｐとの取付状態斜視図である。
【図３】本発明パネルの左右連結部の説明図であって、（Ａ）は横断面図、（Ｂ）は（Ａ）のＢ部拡大図、（Ｃ）は（Ａ）のＣ部拡大図である。
【図４】本発明パネルのセメント板の取付状態斜視図である。
【図５】本発明パネルの使用状態図であって、（Ａ）は帳壁構造断面図、（Ｂ）は床スラブ型枠へのパネルの組付け状態説明図である。
【図６】本発明パネルの使用状態説明図であって、（Ａ）は一部切欠斜視図、（Ｂ）は（Ａ）のＢ−Ｂ線断面図である。
【図７】従来例図であって、（Ａ）は全体斜視図、（Ｂ）は（Ａ）のＢ−Ｂ線断面図、（Ｃ）は（Ａ）のＣ−Ｃ線断面図である。
【符号の説明】
１：断熱複合パネル（パネル）、        ２：セメント板層、
２Ｇ：連結部（接続部、目地）、        ２ｈ：貫通孔（通気層）、
２Ｐ：セメント板（成形セメント板）、  ３：断熱層、
４ａ：上枠（枠）、                    ４ｂ：下枠（枠）、
４Ｆ：立上り辺、                    ４Ｈ：水平辺、
４ｅ：先端縁、                      ５：下地材（条片下地材）、
６：耐火被覆材（耐火材）、          ７ａ：締着ボルト（ボルト）、
７ｂ：平ナット、                    ７ｃ：座金、
２１：凹部、                        ２２：突起、
２３：不燃パッキング（耐火材）、    ２４：シーリング（耐火シーリング）、
２４´：バッカー、                  ２５：充填材（断熱材）、
２６：注入断熱材（現場発泡ウレタンフォーム）、
Ｈ３，Ｈ４：ボルト挿入孔
【図１】
0003577064.tif 000002
【図２】
0003577064.tif 000003
【図３】
0003577064.tif 000004
【図４】
0003577064.tif 000005
【図５】
0003577064.tif 000006
【図６】
0003577064.tif 000007
【図７】
0003577064.tif 000008